(57)【特許請求の範囲】
【請求項１】
製氷皿内に給水し、前記製氷皿を冷却して製氷を進行させ、前記製氷皿内の製氷が完了した時点で離氷動作させるように構成された自動製氷装置において、
前記製氷皿の上方に紫外線ランプを設けると共に、
前記製氷皿内の製氷が完了するまで前記紫外線ランプを間欠通電する通電制御手段を設けたことを特徴とする自動製氷装置。
【請求項２】
前記紫外線ランプの上方を覆う蓋を設けると共に、
この蓋により前記製氷皿の上面開口部の一部分を覆うように構成したことを特徴とする請求項１記載の自動製氷装置。
【請求項３】
前記製氷皿の上面開口部を覆う蓋を設けると共に、
前記蓋の内面に前記紫外線ランプを配設したことを特徴とする請求項１記載の自動製氷装置。
【請求項４】
前記蓋と前記紫外線ランプとの間に、ヒータを配設したことを特徴とする請求項３記載の自動製氷装置。
【請求項５】
前記製氷皿を、２列に配列された複数個の製氷ボックス部を有するように構成すると共に、
前記２列の製氷ボックス部の間に断熱材を配設したことを特徴とする請求項１ないし４のいずれかに記載の自動製氷装置。
【発明の詳細な説明】
【０００１】
【発明の属する技術分野】
本発明は、製氷皿内に給水した後、製氷皿を冷却して製氷を進行させ、製氷完了時点で離氷動作させるように構成された自動製氷装置に関する。
【０００２】
【従来の技術】
この種の自動製氷装置を内部に配設して成る冷蔵庫が従来より販売されている。このような自動製氷装置付き冷蔵庫においては、給水タンクを冷蔵室に設けると共に、製氷皿を製氷室に設け、給水ポンプにより給水タンク内の水を製氷皿へ供給するように構成されている。
【０００３】
ところで、上記給水タンク内に貯留されている水には、細菌やバクテリヤ等がある程度含まれていることがわかっている。即ち、上記した自動製氷装置により製造される氷には、細菌やバクテリヤ等が含まれている。これに対して、近年、衛生上の観点から、細菌やバクテリヤ等を含まない氷を希望するユーザーが増えている。そこで、細菌やバクテリヤ等を含まない氷を製造する自動製氷装置が考えられており、その一例として特開平５−１５７４２２号公報に記載された構成がある。
【０００４】
この公報に記載された構成では、冷蔵室内に紫外線ランプを設け、この紫外線ランプを発光させることにより水に含まれている細菌やバクテリヤ等を殺菌し、この殺菌した水を給水ポンプにより製氷皿へ給水するように構成されている。この構成によれば、殺菌した水を用いて氷を製造するから、細菌やバクテリヤ等を含まない氷を製造することができる。
【０００５】
【発明が解決しようとする課題】
上記従来構成では、水の殺菌時に紫外線ランプを発光させているが、紫外線ランプは発光時にある程度熱を発生する。このため、上記構成では、紫外線ランプが発生した熱により冷蔵室内の温度が上昇してしまうおそれがあった。即ち、紫外線ランプが発生する熱エネルギーは、全く無駄になっているばかりか、冷蔵庫の冷却運転に悪影響を与えていた。
【０００６】
そこで、本発明の目的は、紫外線ランプを用いて細菌やバクテリヤ等を含まない氷を製造することができる構成でありながら、紫外線ランプが発生する熱エネルギーを有効に利用することができる自動製氷装置を提供するにある。
【０００７】
【課題を解決するための手段】
本発明の自動製氷装置は、製氷皿内に給水し、前記製氷皿を冷却して製氷を進行させ、そして、前記製氷皿内の製氷が完了した時点で離氷動作させるように構成された自動製氷装置において、前記製氷皿の上方に紫外線ランプを設けると共に、前記製氷皿内の製氷が完了するまで前記紫外線ランプを間欠通電する通電制御手段を設けたところに特徴を有する。
【０００８】
上記構成によれば、製氷皿内の製氷が完了するまで、製氷皿の上方に設けられた紫外線ランプを間欠通電する構成であるので、紫外線ランプから放射される紫外線により製氷皿内の水に含まれている細菌やバクテリヤ等が殺菌される。これにより、細菌やバクテリヤ等を含まない氷を製造することができる。しかも、上記構成では、紫外線ランプが発生する熱が製氷皿内の水の上面部を加熱することから、製氷皿内の水は、底部から上部へ向けて製氷が進行していくと共に、製氷進行速度が遅くなる。この結果、透明な氷を製造することができる。従って、紫外線ランプが発生する熱エネルギーを透明氷製造用に利用することができる。
【０００９】
また、上記構成の場合、紫外線ランプの上方を覆う蓋を設けると共に、この蓋により製氷皿の上面開口部の一部分を覆うように構成することが好ましい。更に、製氷皿の上面開口部を覆う蓋を設けると共に、この蓋の内面に紫外線ランプを配設することが良い構成である。更にまた、蓋と紫外線ランプとの間に、ヒータを配設することがより一層好ましい構成である。
【００１０】
一方、製氷皿を２列に配列された複数個の製氷ボックス部を有するように構成すると共に、この製氷皿の２列の製氷ボックス部の間に断熱材を配設することが好ましい。
【００１１】
【発明の実施の形態】
以下、本発明を自動製氷装置付き冷蔵庫に適用した第１の実施例について図１ないし図３を参照しながら説明する。まず、図２は上記冷蔵庫のうちの自動製氷装置を搭載した部分周辺を示す部分縦断側面図である。この図２において、冷蔵庫の本体１の内部には、冷蔵室２及び製氷室３が仕切壁４を介して上下に設けられている。上記冷蔵室２の底部には、給水装置５が配設されている。
【００１２】
この給水装置５は、支持台６上に載置された給水タンク７と、この給水タンク７の給水口を閉塞するキャップ８に設けられた給水弁（図示しない）と、この給水弁を開閉駆動する弁駆動機構９と、支持台６に上記給水弁から流れ出した水を受けるように設けられた水受容器１０とから構成されている。弁駆動機構９は、給水弁を開閉駆動する操作軸、この操作軸を動作させる弁駆動モータ１１（図３参照）及びカム機構等を有している。
【００１３】
また、水受容器１０の底部には、該水受容器１０内に受けた水を流下させる注水管１２が下方へ向けて突設されている。この注水管１２は、仕切壁４を貫通するように配設されており、その先端開口部が製氷室３内に臨むように構成されている。尚、給水タンク７は支持台６上に着脱可能に載置されており、この給水タンク７の有無は検知レバー１３を介してタンクスイッチ１４により検知されるように構成されている。
【００１４】
さて、製氷室３内の上部には、製氷皿１５が上記注水管１２から流下する水を受けるように配設されている。上記製氷皿１５は、仕切壁４の下面に設けられた製氷皿回動機構１６によりほぼ上下反転する位置まで回動駆動されると共に、ねじられるように構成されている。この構成の場合、製氷皿１５内の製氷が完了した状態で、製氷皿回動機構１６により製氷皿１５が回動されると共にねじられると、製氷皿１５から離氷されるようになっている。上記製氷皿回動機構１６は、皿駆動モータ１７（図３参照）及びギヤ機構の他に、製氷皿１５の水平位置及び反転位置を検知する位置センサ１８（図３参照）等を備えている。
【００１５】
また、製氷室３内には、上記製氷皿１５から離氷されて落下する氷を貯留する貯氷ボックス１９が配設されている。この貯氷ボックス１９内に貯留された氷が満杯であるか否かは、貯氷検知レバー２０により検知されるように構成されている。この貯氷検知レバー２０は、上記製氷皿回動機構１６により上下方向へ揺動されるように構成されている。具体的には、貯氷検知レバー２０は、離氷動作時に上方へ揺動された後、離氷動作が完了すると下方へ揺動されるように構成されている。また、上記貯氷検知レバー２０が氷の満杯状態を検知すると、製氷皿回動機構１６内に設けられた貯氷スイッチ２１（図３参照）がスイッチ動作する構成となっている。
【００１６】
さて、上記製氷皿１５は、例えばプラスチックにより成形されており、図１にも示すように、２列に配列された複数個の製氷ボックス部２２を有するように構成されている。この製氷皿１５の上面開口部は、断熱材製（例えば発泡スチロール製）の蓋２３により覆われている。この蓋２３の内面（図１中下面）には、２列の製氷ボックス部２２に対応するように２列の収容溝２４、２５が形成されている。これら２列の収容溝２４、２５内に、２本の紫外線ランプ２６、２７がそれぞれ収容固定されている。尚、本実施例の場合、上記紫外線ランプ２６、２７として、それぞれ例えば１．７Ｗタイプのものを使用している。
【００１７】
また、上記製氷皿１５の外底面における製氷ボックス部２２の間の部位には、製氷皿１５の温度を検知する製氷温度センサ２８（図３にのみ図示する）が配設されている。この製氷温度センサ２８は、製氷皿１５内に給水されたことや、製氷皿１５内の製氷が完了したこと等を検知するための温度センサである。
【００１８】
尚、上記蓋２３は、製氷皿回動機構１６により開閉動作されるように構成されている。具体的には、蓋２３は、離氷動作時には製氷皿１５の上面開口部を開放するように動作されると共に、製氷皿１５が水平位置に戻ったときには製氷皿１５の上面開口部を閉塞するように動作される構成となっている。
【００１９】
また、図３は電気的構成を機能ブロックの組み合わせにて示す図である。尚、図３には自動製氷装置の電気的構成だけを示し、冷蔵庫の他の電気的構成については図示することを省略した。この図３において、制御装置２９は、マイクロコンピュータ等から構成されており、冷蔵庫及び自動製氷装置の運転を制御する機能を有している。この制御装置２９が通電制御手段を構成している。
【００２０】
上記制御装置２９は、タンクスイッチ１４、位置センサ１８、貯氷スイッチ２１及び製氷温度センサ２８からの各検知信号を入力するように構成されている。そして、制御装置２９は、弁駆動モータ１１、皿駆動モータ１７及び紫外線ランプ２６、２７を駆動回路３０を介して各別に通電制御することが可能な構成となっている。
【００２１】
次に、上記した構成の自動製氷装置の動作について説明する。この場合、製氷皿１５の離氷動作が完了した時点、即ち、位置センサ１８により製氷皿１５が水平位置（水平状態）に戻ったことを検知した時点から説明する。製氷皿１５が水平状態に戻ったことを検知すると、制御装置２９は製氷皿１５内へ給水動作を実行する。具体的には、制御装置２９は、弁駆動モータ１１を通電制御して弁駆動機構９を動作させることにより、給水タンク７のキャップ８の給水弁を開閉操作する。これにより、給水タンク７から所定量の水が水受容器１０及び注水管１２を通って製氷皿１５内に供給（注水）される。
【００２２】
続いて、制御装置２９は、紫外線ランプ２６、２７の通電制御を開始する。この場合、制御装置２９は、紫外線ランプ２６、２７を間欠通電するように、具体的には、紫外線ランプ２６、２７を設定時間Ｌ１オンし、且つ、設定時間Ｌ２オフする通断電を繰り返すように構成されている。そして、制御装置２９は、製氷温度センサ２８により製氷皿１５内の製氷完了を検知するまで、上記紫外線ランプ２６、２７の間欠通電を実行するように構成されている。
【００２３】
ここで、上記紫外線ランプ２６、２７の間欠通電により、紫外線が製氷皿１５内の水に照射されることから、製氷皿１５内の水に含まれている細菌やバクテリヤ等が殺菌される。また、紫外線ランプ２６、２７から発生する熱により製氷皿１５内の水の上面（水面）部分が加熱される。これと共に、製氷室３内に供給される冷気により製氷皿１５内の水が冷却され、製氷動作が進行する。この場合、製氷は製氷皿１５内において底部から上部へ向けて進行する。これにより、水に含まれている空気等が水面から放出されるようになり、製氷皿１５内に透明氷が製造される。
【００２４】
さて、製氷完了が検知されると、制御装置２９は、紫外線ランプ２６、２７を断電し、製氷皿回動機構１６を駆動させて離氷動作を行なう。この場合、制御装置２９は、製氷皿回動機構１６の皿駆動モータ１７を通電制御することにより、製氷皿１５を回動させて上下反転させると共にひねる。これにより、製氷皿１５から氷が落下して貯氷ボックス１９内に貯留される。そして、制御装置２９は、皿駆動モータ１７を反転方向へ通電することにより、製氷皿１５を水平状態に復帰させる。これにより、離氷動作が完了する。この後は、製氷皿１５内への給水動作を再び実行し、上述した製氷動作を繰り返すように構成されている。
【００２５】
尚、貯氷検知レバー２０により貯氷ボックス１９内が氷で満杯であることが検知されている場合には、製氷完了を検知しても上記離氷動作を実行しないで待機するように構成されている。
【００２６】
このような構成の本実施例によれば、製氷皿１５の上方に紫外線ランプ２６、２７を設けると共に、製氷皿１５内の製氷動作中に紫外線ランプ２６、２７を間欠通電するように構成したので、紫外線ランプ２６、２７から放射される紫外線により製氷皿１５内の水に含まれている細菌やバクテリヤ等を確実に殺菌することができる。これにより、細菌やバクテリヤ等を含まない氷を製造することができる。
【００２７】
しかも、上記実施例では、紫外線ランプ２６、２７が発生する熱が製氷皿１５内の水の上面部（水面部）を加熱して暖めることから、製氷皿１５内の水は、その底部から上部へ向けて製氷が進行していくと共に、製氷進行速度が遅くなる。この結果、透明な氷を製造することができる。即ち、上記実施例においては、紫外線ランプ２、２７が発生する熱エネルギーを透明氷製造用に利用することができる。
【００２８】
また、上記実施例の場合、製氷皿１５の上面開口部を覆う蓋２３を設けると共に、この蓋２３の内面に紫外線ランプ２６、２７を配設するように構成した。この構成によれば、紫外線ランプ２６、２７を製氷皿１５の上方に配設する構成を簡単な構成にて容易に実現することができる。また、蓋２３を断熱材により形成したので、製氷室３内の冷気により製氷皿１５内の水の上面部が強く冷却されることを防止できる。これにより、紫外線ランプ２６、２７が発生する熱により製氷皿１５内の水の上面部を十分に暖めることができ、製氷の進行方向を確実に制御することができる。この結果、一層透明度の高い透明氷を製造することができる。
【００２９】
尚、上記実施例において、紫外線ランプ２６、２７を間欠通電する場合のオン用の設定時間Ｌ１及びオフ用の設定時間Ｌ２の各長さは、製氷の速度等を考慮して適宜決めれば良い。即ち、製氷皿１５の大きさや製氷室３内に供給される冷気の量を考慮し、製氷速度を早くしたい場合には、設定時間Ｌ１を長くしたり、或いは、設定時間Ｌ２を短くしたりすることが考えられる。ここで、設定時間Ｌ１、Ｌ２を調整する場合に、透明氷が製造可能なように製氷の進行方向を設定することは勿論である。
【００３０】
図４は本発明の第２の実施例を示すものであり、第１の実施例と異なるところを説明する。尚、第１の実施例と同一部分には同一符号を付している。この第２の実施例では、図４に示すように、製氷皿１５の２列の製氷ボックス部２２の間に、例えば発泡スチロールからなる断熱材３１を配設している。このように断熱材３１を配設する理由は、製氷皿１５から氷を剥離し易くするためである。以下、離氷性が良くなる理由について簡単に述べる。
【００３１】
まず、透明氷を製造しない場合（即ち、不透明な普通の氷を製造する場合）は、製氷皿１５内において製氷はその上部から底部へ向けて進行するため、製造された氷に浮き上がろうとする上向きの力が残った状態で製氷が完了するようになる。このため、製氷皿１５を上下反転させてひねった場合、氷が製氷皿１５から離氷し易い。これに対して、透明氷を製造する場合は、製氷皿１５内において製氷はその底部から上部へ向けて進行するため、製造された氷は製氷皿１５内にこびりつくような状態で製氷が完了する。このため、製氷皿１５を上下反転させてひねった場合、氷が製氷皿１５から離氷し難い。実際、透明氷を製造した場合には、離氷動作させた後も、製氷皿１５内に氷が一部残ってしまう事態が多々あることが確認されている。
【００３２】
これに対して、第２の実施例では、断熱材３１を製氷皿１５の外底面における２列の製氷ボックス部２２の間に取り付けた。この構成の場合、断熱材３１により製氷皿１５の２列の製氷ボックス部２２の対向する部分の冷却の強さが他の部分よりも低下する。このため、製氷皿１５内において、製氷はその底部から上部へ向けて進行すると共に、外側から内側へ向けて斜めに進行するようになる。この結果、製造された氷は製氷皿１５内にこびりつくような状態になるものの、そのこびりつく力（こびりつき方）がアンバランスになった状態で製氷が完了する。そして、このような製氷完了状態で、製氷皿１５を上下反転させてひねるのであるから、製氷皿１５から氷が離氷し易くなるのである。本発明者は、第２の実施例によって透明氷を製造した場合、離氷動作が良好に行なわれることを実験により確認している。
【００３３】
図５は本発明の第３の実施例を示すものであり、第１の実施例と異なるところを説明する。尚、第１の実施例と同一部分には同一符号を付している。この第３の実施例では、図５に示すように、蓋２３に代わる蓋３２により製氷皿１５の上面開口部を覆うように構成している。上記蓋３２は、製氷皿１５の上面開口部の一部分である例えば中間部分を覆うだけであり、図５中左右端部を覆わないように構成している。そして、上記蓋３２の内面（下面）の中央部に１個の収容溝３３を形成すると共に、この収容溝３３内に１個の紫外線ランプ３４を収容固定している。また、上述した以外の第３の実施例の構成は、第１の実施例の構成と同じ構成となっている。
【００３４】
従って、第３の実施例においても、第１の実施例と同じ作用効果を得ることができる。特に、第３の実施例によれば、蓋３２により製氷皿１５の上面開口部を覆う場合に、製氷皿１５の上面開口部の図５中左右端部を覆わないように構成したので、製氷室３内に供給された冷気を製氷皿１５内の水の上面に吹き付けることができる。このため、製氷皿１５内の水をより早く冷却することができるから、製氷速度を早くすることができる。また、上記第３の実施例では、紫外線ランプ３４を１個しか使用しないから、製造コストを低減することができる。
【００３５】
図６は本発明の第４の実施例を示すものであり、第１の実施例と異なるところを説明する。尚、第１の実施例と同一部分には同一符号を付している。この第４の実施例では、図６に示すように、蓋２３の内面（下面）の中央部に１個の収容溝３５を形成すると共に、この収容溝３５内に１個の紫外線ランプ３６を収容固定している。これ以外の第４の実施例の構成は、第１の実施例の構成と同じ構成となっている。従って、第４の実施例においても、第１の実施例とほぼ同じ作用効果を得ることができる。
【００３６】
図７は本発明の第５の実施例を示すものであり、第２の実施例と異なるところを説明する。尚、第２の実施例と同一部分には同一符号を付している。この第５の実施例では、図７に示すように、蓋２３の内面（下面）の中央部に１個の収容溝３５を形成すると共に、この収容溝３５内に１個の紫外線ランプ３６を収容固定している。これ以外の第５の実施例の構成は、第２の実施例の構成と同じ構成となっている。従って、第５の実施例においても、第２の実施例とほぼ同じ作用効果を得ることができる。
【００３７】
図８は本発明の第６の実施例を示すものであり、第５の実施例と異なるところを説明する。尚、第５の実施例と同一部分には同一符号を付している。この第６の実施例では、図８に示すように、蓋３７の内面の中央部に形成された収容溝３８と紫外線ランプ３９との間に、ほぼ半円筒状をなすヒータ４０を配設するように構成している。上記ヒータ４０としては、例えば３Ｗの出力のヒータを使用している。そして、紫外線ランプ３９は、蓋３７の内面に取り付けられたランプカバー４１により覆われている。
【００３８】
上述した以外の第６の実施例の構成は、第５の実施例の構成と同じ構成となっている。従って、第６の実施例においても、第５の実施例とほぼ同じ作用効果を得ることができる。特に、第６の実施例では、ヒータ４０により紫外線ランプ３９を加熱するように構成したので、製氷室３内でありながら、紫外線ランプ３９の設置環境の温度を約２０℃程度に設定することが可能となる。これにより、紫外線ランプ３９の寿命を大幅に長くすることができる。ちなみに、紫外線ランプ３９は、環境温度が低いと、寿命がかなり短くなるという特性がある。
【００３９】
また、上記第６の実施例では、ヒータ４０から発生する熱により製氷皿１５内の上面部の水を加熱することができるから、紫外線ランプ３９を点灯させる時間は、製氷皿１５内の水に含まれている細菌やバクテリヤ等を殺菌するのに必要な時間程度とすることができる。即ち、紫外線ランプ３９を点灯させる時間を必要最小限の時間とすることができるので、紫外線ランプ３９の寿命をより一層長くすることができる。
【００４０】
ところで、水に含まれている細菌やバクテリヤ等を９９．９％殺菌するのに必要な紫外線エネルギーの値は、１００００μＷ・ＳＥＣ／ｃｍ２であることが知られている。ここで、製氷皿１５の上面の面積が１６０ｃｍ２（８ｃｍ×２０ｃｍ）程度であるとすると、製氷皿１５内の水を殺菌するのに必要な紫外線エネルギーの値は、１６０×１００００＝１．６Ｗ・ＳＥＣとなる。即ち、１．６Ｗの紫外線ランプを１秒間発光させれば、製氷皿１５内の水を十分殺菌することができるのである。従って、本実施例の場合、１．７Ｗの紫外線ランプを使用しているので、１秒以上発光させるように構成すれば良い。
【００４１】
また、紫外線ランプの寿命は、環境温度が約２０℃で間欠通電する場合、約４５００ｈ程度であることが知られている。そして、製氷動作は１日最大６回程度である。更に、冷蔵庫の使用年数は１２年とすることが一般的である。これにより、製氷動作１回当たりの紫外線ランプの最大発光時間は約１０分程度となることが計算により求まる。即ち、製氷動作１回当たりの紫外線ランプの発光時間を約１０分程度以下に抑えれば、紫外線ランプの寿命が１２年以上となることがわかる。そして、紫外線ランプの発光時間を約１０分に設定することは、上述したように製氷皿１５内の水を殺菌するのに十分な時間でもある。
【００４２】
【発明の効果】
本発明は、以上説明した通りの構成であるので、次の効果を得ることができる。即ち、請求項１の自動製氷装置によれば、製氷皿の上方に紫外線ランプを設けると共に、製氷皿内の製氷が完了するまで紫外線ランプを間欠通電するように構成したので、細菌やバクテリヤ等を含まない氷を製造することができる構成でありながら、紫外線ランプが発生する熱エネルギーにより透明氷を製造することができ、該紫外線ランプの熱エネルギーを有効に利用することができる。
【００４３】
請求項２の自動製氷装置によれば、紫外線ランプの上方を覆う蓋を設けると共に、この蓋により製氷皿の上面開口部の一部分を覆うように構成したので、紫外線ランプを製氷皿の上方に配設する構成を簡単な構成にて容易に実現することができると共に、製氷速度を早くすることができる。
【００４４】
請求項３の自動製氷装置によれば、製氷皿の上面開口部を覆う蓋を設けると共に、この蓋の内面に紫外線ランプを配設するように構成したので、紫外線ランプを製氷皿の上方に配設する構成を簡単な構成にて容易に実現することができると共に、紫外線ランプが発生する熱により製氷皿内の水の上面部を十分に暖めることができ、製氷の進行方向を確実に制御可能である。
【００４５】
請求項４の自動製氷装置によれば、蓋と紫外線ランプとの間に、ヒータを配設するように構成したので、ヒータによる加熱により紫外線ランプの設置環境の温度を常温（約２０℃）程度に設定することが可能となり、紫外線ランプの寿命を大幅に長くすることができる。
【００４６】
請求項５の自動製氷装置によれば、製氷皿を２列に配列された複数個の製氷ボックス部を有するように構成すると共に、この製氷皿の２列の製氷ボックス部の間に断熱材を配設するように構成したので、製氷皿から氷を離氷させる場合の離氷性を向上させることができる。
【図面の簡単な説明】
【図１】本発明の第１の実施例を示す製氷皿の縦断面図
【図２】冷蔵庫の部分縦断側面図
【図３】ブロック図
【図４】本発明の第２の実施例を示す図１相当図
【図５】本発明の第３の実施例を示す図１相当図
【図６】本発明の第４の実施例を示す図１相当図
【図７】本発明の第５の実施例を示す図１相当図
【図８】本発明の第５の実施例を示す図１相当図
【符号の説明】
１は本体、２は冷蔵室、３は製氷室、５は給水装置、７は給水タンク、９は弁駆動機構、１５は製氷皿、１６は製氷皿回動機構、２２は製氷ボックス部、２３は蓋、２４、２５は収容溝、２６、２７は紫外線ランプ、２９は制御装置（通電制御手段）、３１は断熱材、３２は蓋、３３は収容溝、３４は紫外線ランプ、３５は収容溝、３６は紫外線ランプ、３７は蓋、３８は収容溝、３９は紫外線ランプ、４０はヒータ、４１はランプカバーを示す。
【図１】
0003910258.tif 000002
【図２】
0003910258.tif 000003
【図３】
0003910258.tif 000004
【図４】
0003910258.tif 000005
【図５】
0003910258.tif 000006
【図６】
0003910258.tif 000007
【図７】
0003910258.tif 000008
【図８】
0003910258.tif 000009